(57)【要約】  本開示の様々な例は、端末デバイスに適用される情報提示方法を提供する。端末デバイスがアプリケーションについての主情報をユーザインタフェース上に提示するときに、方法は、ユーザインタフェース上の予め設定された第１のエリア内に第１の更なる情報を提示するステップと、ユーザにより実行された第１の操作アクションに応じて、第１の操作アクションに対応する第２のエリアを決定するステップと、第２のエリアのサイズに従って、第１の更なる情報に対応する第２の更なる情報の全部又は一部を提示するステップとを含む。本開示の様々な例はまた、端末デバイスを提供する。本開示の様々な例によれば、更なる情報が効率的に提示できる。
2019501463.tif 000002
【特許請求の範囲】
【請求項１】
端末デバイスに適用される情報提示方法であり、前記端末デバイスがアプリケーションについての主情報をユーザインタフェース上に提示するときに、前記方法は、
前記ユーザインタフェース上の予め設定された第１のエリア内に第１の更なる情報を提示するステップと、
ユーザにより実行された第１の操作アクションに応じて、前記第１の操作操作に対応する第２のエリアを決定するステップと、
前記第２のエリアのサイズに従って、前記第１の更なる情報に対応する第２の更なる情報の全部又は一部を提示するステップと
を含む方法。
【請求項２】
前記第１の操作アクションは、前記ユーザインタフェース内で前記第１のエリア内の第１の位置から第２の位置に移動するタッチスクリーン上の第１の移動操作であり、
前記操作アクションに対応する前記第２のエリアを決定するステップは、
前記第２の位置に従って、前記第２のエリアの少なくとも１つの可変エッジの位置を決定するステップと、
前記少なくとも１つの可変エッジの前記決定された位置と、前記第２のエリアの他の固定エッジの予め設定された位置とに従って、前記第２のエリアを決定するステップと
を含む、請求項１に記載の方法。
【請求項３】
前記第２のエリアの前記少なくとも１つの可変エッジの前記位置を決定するステップは、
前記第２の位置が予め設定された第３のエリア内に位置する場合、前記第３のエリア内の予め設定されたエッジを、前記第２のエリアの前記可変エッジとして決定するステップであり、前記第３のエリアは、前記主情報を提示するために使用され且つ前記ユーザインタフェース内に予め設定された最小のエリアであるステップと、
そうでない場合、前記第１のエリア内で予め設定されたエッジに平行であり且つ前記第２の位置を通過する線を、前記第２のエリアの前記可変エッジとして決定するステップと
を含む、請求項２に記載の方法。
【請求項４】
前記ユーザインタフェース上の前記予め設定された第１のエリア内に前記第１の更なる情報を提示するときに、前記方法は、
前記第１の操作アクションを実行するように前記ユーザに促すために、前記第１の操作アクションのプロンプトアイコンを前記ユーザインタフェース上に提示するステップを更に含む、請求項１に記載の方法。
【請求項５】
前記第１の操作アクションに対応する前記第２のエリアを決定した後に、前記方法は、
前記決定された第２のエリアに従って、前記ユーザインタフェース上の第３のエリアのサイズを調整するステップであり、前記第３のエリアは、前記主情報を提示するために使用されるステップと、
現在の第３のエリアのサイズに従って、前記第３のエリア内に提示される前記主情報のコンテンツを調整するステップと
を更に含む、請求項１に記載の方法。
【請求項６】
前記現在の第３のエリアのサイズに従って、前記第３のエリア内に提示される前記主情報の前記コンテンツを調整するステップは、
前記現在の第３のエリアによりカバーされる、前記主情報の提示ページ内のそれぞれのコンテンツの部分を決定するステップと、
前記現在の第３のエリアによりカバーされる前記決定された部分を前記第３のエリア内に提示するステップと
を含む、請求項５に記載の方法。
【請求項７】
前記現在の第３のエリアのサイズに従って、前記第３のエリア内に提示される前記主情報の前記コンテンツを調整するステップは、
前記現在の第３のエリアによりカバーされる、前記主情報の提示ページ内のそれぞれのコンテンツの部分を決定するステップと、
前記現在の第３のエリアによりカバーされるそれぞれのコンテンツの前記決定された部分について、前記コンテンツの全体のコンテンツに対する前記現在の第３のエリアに含まれる前記コンテンツの部分の割合が予め設定された割合閾値より大きいか否かを決定するステップと、
前記コンテンツの全体のコンテンツに対する前記現在の第３のエリアに含まれる前記コンテンツの部分の前記割合が前記予め設定された割合閾値より大きい場合、前記現在の第３のエリア内に前記コンテンツを提示し、そうでない場合、前記現在の第３のエリアから前記コンテンツを削除するステップと
を含む、請求項５に記載の方法。
【請求項８】
前記第１の更なる情報に対応する前記第２の更なる情報を提示した後に、前記方法は、
前記ユーザにより実行された第２の操作アクションに応じて、前記第２の更なる情報の提示を終了するステップを更に含む、請求項１に記載の方法。
【請求項９】
前記第１の更なる情報に対応する前記第２の更なる情報を提示した後に、前記方法は、
前記ユーザにより実行された第２の操作アクションに応じて、前記第２の更なる情報の提示を終了するステップと、
前記第２のエリア及び前記第３のエリアの併合エリアを、前記現在の第３のエリアとして決定し、前記現在の第３のエリアのサイズに従って、前記現在の第３のエリアによりカバーされる、前記主情報の提示ページ内のそれぞれのコンテンツの部分を決定し、前記現在の第３のエリアによりカバーされる前記決定された部分を前記現在の第３のエリア内に提示するステップと
を更に含む、請求項５に記載の方法。
【請求項１０】
前記第１の更なる情報に対応する前記第２の更なる情報を提示するときに、前記方法は、
前記第２の操作アクションを実行するように前記ユーザに促すために、前記第２の操作アクションのプロンプトアイコンを前記ユーザインタフェース上に提示するステップを更に含む、請求項８又は９に記載の方法。
【請求項１１】
前記第１の更なる情報に対応する前記第２の更なる情報の全部又は一部を提示した後に、前記方法は、
前記アプリケーションに現在ログインしているアカウントが仮想商品パッケージを取得したと決定された場合、前記第１の更なる情報に対応する共有情報をソーシャルネットワーキングプラットフォームに対して共有するステップと、
サーバから前記仮想商品パッケージを取得するステップと
を更に含む、請求項１に記載の方法。
【請求項１２】
端末デバイスがアプリケーションについての主情報をユーザインタフェース上に提示するときに、
コンピュータ読み取り可能命令を記憶するストレージと、
前記コンピュータ読み取り可能命令を実行し、
前記ユーザインタフェース上の予め設定された第１のエリア内に第１の更なる情報を提示するステップと、
ユーザにより実行された第１の操作アクションに応じて、前記第１の操作アクションに対応する第２のエリアを決定するステップと、
前記第２のエリアのサイズに従って、前記第１の更なる情報に対応する第２の更なる情報の全部又は一部を提示するステップと
を含む動作を実行するプロセッサと
を含む端末デバイス。
【請求項１３】
前記第１の操作アクションは、前記ユーザインタフェース内で前記第１のエリア内の第１の位置から第２の位置に移動するタッチスクリーン上の第１の移動操作であり、
前記プロセッサは、さらに、前記コンピュータ読み取り可能命令を実行し、
前記第２の位置に従って、前記第２のエリアの少なくとも１つの可変エッジの位置を決定するステップと、
前記少なくとも１つの可変エッジの前記決定された位置と、前記第２のエリアの他の固定エッジの予め設定された位置とに従って、前記第２のエリアを決定するステップと
を含む動作を実行する、請求項１２に記載の端末デバイス。
【請求項１４】
前記プロセッサは、さらに、前記コンピュータ読み取り可能命令を実行し、
前記第２の位置が予め設定された第３のエリア内に位置する場合、前記第３のエリア内の予め設定されたエッジを、前記第２のエリアの前記可変エッジとして決定するステップであり、前記第３のエリアは、前記主情報を提示するために使用され且つ前記ユーザインタフェース内に予め設定された最小のエリアであるステップと、
そうでない場合、前記第１のエリア内で予め設定されたエッジに平行であり且つ前記第２の位置を通過する線を、前記第２のエリアの前記可変エッジとして決定するステップと
を含む動作を実行する、請求項１３に記載の端末デバイス。
【請求項１５】
前記プロセッサは、さらに、前記コンピュータ読み取り可能命令を実行し、
前記第１の操作アクションに対応する前記第２のエリアを決定した後に、前記決定された第２のエリアに従って、前記ユーザインタフェース上の第３のエリアのサイズを調整するステップであり、前記第３のエリアは、前記主情報を提示するために使用されるステップと、
現在の第３のエリアのサイズに従って、前記第３のエリア内に提示される前記主情報のコンテンツを調整するステップと
を更に含む動作を実行する、請求項１２に記載の端末デバイス。
【請求項１６】
前記プロセッサは、さらに、前記コンピュータ読み取り可能命令を実行し、
前記現在の第３のエリアによりカバーされる、前記主情報の提示ページ内のそれぞれのコンテンツの部分を決定するステップと、
前記現在の第３のエリアによりカバーされる前記決定された部分を前記第３のエリア内に提示するステップと
を含む動作を実行する、請求項１５に記載の端末デバイス。
【請求項１７】
前記プロセッサは、さらに、前記コンピュータ読み取り可能命令を実行し、
前記現在の第３のエリアによりカバーされる、前記主情報の提示ページ内のそれぞれのコンテンツの部分を決定するステップと、
前記現在の第３のエリアによりカバーされるそれぞれのコンテンツの前記決定された部分について、前記コンテンツの全体のコンテンツに対する前記現在の第３のエリアに含まれる前記コンテンツの部分の割合が予め設定された割合閾値より大きいか否かを決定するステップと、
前記コンテンツの全体のコンテンツに対する前記現在の第３のエリアに含まれる前記コンテンツの部分の前記割合が前記予め設定された割合閾値より大きい場合、前記現在の第３のエリア内に前記コンテンツを提示し、そうでない場合、前記現在の第３のエリアから前記コンテンツを削除するステップと
を含む動作を実行する、請求項１５に記載の端末デバイス。
【請求項１８】
前記プロセッサは、さらに、前記コンピュータ読み取り可能命令を実行し、
前記ユーザにより実行された第２の操作アクションに応じて、前記第２の更なる情報の提示を終了するステップを含む動作を実行する、請求項１２に記載の端末デバイス。
【請求項１９】
前記プロセッサは、さらに、前記コンピュータ読み取り可能命令を実行し、
前記ユーザにより実行された第２の操作アクションに応じて、前記第２の更なる情報の提示を終了するステップと、
前記第２のエリア及び前記第３のエリアの併合エリアを、前記現在の第３のエリアとして決定し、前記現在の第３のエリアのサイズに従って、前記現在の第３のエリアによりカバーされる、前記主情報の提示ページ内のそれぞれのコンテンツの部分を決定し、前記現在の第３のエリアによりカバーされる前記決定された部分を前記現在の第３のエリア内に提示するステップと
を更に含む動作を実行する、請求項１５に記載の端末デバイス。
【請求項２０】
コンピュータ読み取り可能命令を記憶した非一時的なコンピュータ読み取り可能記憶媒体であって、
コンピュータは、前記コンピュータ読み取り可能命令を実行し、
ユーザインタフェース上の予め設定された第１のエリア内に第１の更なる情報を提示するステップと、
ユーザにより実行された第１の操作アクションに応じて、前記第１の操作アクションに対応する第２のエリアを決定するステップと、
前記第２のエリアのサイズに従って、前記第１の更なる情報に対応する第２の更なる情報の全部又は一部を提示するステップと
を含む動作を実行する非一時的なコンピュータ読み取り可能媒体。
【発明の詳細な説明】
【技術分野】
【０００１】
［優先権主張］
本出願は、2016年4月13日に中国特許庁に出願された「INFORMATION  PRESENTATION  METHOD  AND  TERMINAL  DEVICE」という名称の中国特許出願第201610226010.6号の優先権を主張する。中国特許出願第201610226010.6号の開示を参照により援用する。
【０００２】
［技術分野］
本開示は、インターネット技術の分野に関し、特に情報提示方法及び端末デバイスに関する。
【背景技術】
【０００３】
現在、端末デバイスがアプリケーションについての主情報をユーザインタフェース上に提示する（例えば、ニュースクライアントがニュースコンテンツを提示する）ときに、対応する更なる情報（例えば、広告情報、販売促進情報等）もまた、ユーザインタフェース上に提示される。更なる情報は、バナー、オープンスクリーン、情報フロー等の形式でユーザインタフェース上に提示され得る。
【発明の概要】
【０００４】
本開示の様々な例は、更なる情報を効率的に提示するための情報提示方法を提供する。
【０００５】
本開示の様々な例は、端末デバイスに適用される情報提示方法を提供し、端末デバイスがアプリケーションについての主情報をユーザインタフェース上に提示するときに、方法は、
ユーザインタフェース上の予め設定された第１のエリア内に第１の更なる情報を提示するステップと、
ユーザにより実行された第１の操作アクションに応じて、第１の操作アクションに対応する第２のエリアを決定するステップと、
第２のエリアのサイズに従って、第１の更なる情報に対応する第２の更なる情報の全部又は一部を提示するステップと
を含む。
【０００６】
本開示の様々な例は、端末デバイスを提供し、端末デバイスがアプリケーションについての主情報をユーザインタフェース上に提示するときに、端末デバイスは、
ユーザインタフェース上の予め設定された第１のエリア内に第１の更なる情報を提示する提示モジュールと、
ユーザにより実行された第１の操作アクションに応じて、第１の操作アクションに対応する第２のエリアを決定する決定モジュールと
を含み、
提示モジュールは、第２のエリアのサイズに従って、第１の更なる情報に対応する第２の更なる情報の全部又は一部を更に提示する。
【０００７】
前述の技術的解決策によって、更なる情報は効率的に提示できる。さらに、ユーザは、端末デバイスと相互作用することにより、更なる情報を提示するための提示エリアのサイズを決定でき、それにより、更なる情報を提示しつつ、ユーザが関心を有する主情報がユーザの要求に従って依然としてユーザインタフェース上に提示され、それにより、ユーザの体験を改善する。
【図面の簡単な説明】
【０００８】
本開示の様々な例又は従来技術における解決策をより明確に説明するために、例又は従来技術を説明するために必要な添付図面について以下に簡単に説明する。明らかに、以下に説明する添付図面は、本開示のいくつかの例であり、当業者は、創造的取り組みなしにこれらの添付図面に基づいて他の図面を取得し得る。
【図１Ａ】本開示の様々な例による情報提示方法を示すフローチャートである。
【図１Ｂ】本開示の様々な例による情報提示方法を示すフローチャートである。
【図１Ｃ】本開示の様々な例による情報提示方法を示すフローチャートである。
【図２】本開示の例による更なる情報の提示を示す図である。
【図３Ａ】本開示の様々な例による第２のエリアを示す図である。
【図３Ｂ】本開示の様々な例による第２のエリアを示す図である。
【図４Ａ】本開示の例による主情報の提示ページを示す図である。
【図４Ｂ】本開示の様々な例による主情報の提示を示す図である。
【図４Ｃ】本開示の様々な例による主情報の提示を示す図である。
【図４Ｄ】本開示の様々な例による主情報の提示を示す図である。
【図５Ａ】本開示の様々な例による主情報の提示を示す図である。
【図５Ｂ】本開示の様々な例による主情報の提示を示す図である。
【図６】本開示の例による端末デバイスの構成を示す図である。
【発明を実施するための形態】
【０００９】
以下、本開示の例について添付図面を参照して詳細に説明する。明らかに、以下に説明する例は、本開示の例の全部ではなく一部である。創造的取り組みなしに本開示に記載の例に基づいて当業者により取得される全ての他の例は、本開示の保護範囲に含まれるべきである。
【００１０】
研究過程の中で、本開示の発明者は、端末デバイスがアプリケーションの主情報をユーザインタフェース上に提示するときに、端末デバイスがバナー、情報フロー等を通じて、対応する更なる情報をユーザインタフェース上に提示し得ることを見出した。ユーザが提示された更なる情報をクリックしたときに、更なる情報の詳細は、全体のユーザインタフェース上に表示されてもよい。このように、主情報のいずれかのコンテンツは、ユーザインタフェース上に提示されなくてもよい。
【００１１】
前述のことを鑑みて、本開示の様々な例は、端末デバイスに適用される情報提示方法を提供する。本開示の例により提供される方法によれば、端末デバイスがアプリケーションの主情報をユーザインタフェース上に提示するときに、端末デバイスは、ユーザインタフェース上の予め設定された第１のエリア内に第１の更なる情報を提示してもよく、ユーザにより実行された第１の移動操作に応じて、端末デバイスは、第１の移動操作に対応する第２のエリアを決定してもよく、第２のエリアのサイズに従って、端末デバイスは、第１の更なる情報に対応する第２の更なる情報の全部又は一部を提示してもよい。このように、更なる情報を提示するための方法が提供される。さらに、ユーザは、端末デバイスと相互作用することにより、更なる情報を提示するための提示エリアのサイズを決定してもよく、それにより、更なる情報を提示しつつ、ユーザが関心を有する主情報がユーザの要求に従って依然としてユーザインタフェース上に提示され、それにより、ユーザの体験を改善する。
【００１２】
図１Ａは、本開示の例による情報提示方法を示すフローチャートである。方法は、端末デバイスに適用される。図１に示すように、端末デバイスがアプリケーションについての主情報をユーザインタフェース上に提示するときに、方法は以下の操作を含む。
【００１３】
ブロック101において、第１の更なる情報は、ユーザインタフェース上の予め設定された第１のエリア内に提示されてもよい。
【００１４】
図２に示すように、ユーザインタフェース200上で、第１の更なる情報は、右上の角の予め設定された第１のエリア201内に提示される。この時点で、アプリケーションの主情報は、予め設定された第３のエリア202内に提示され、第３のエリアは、アプリケーションの主情報を提示するために使用されるエリアである。例えば、ニュースクライアントのニュースコンテンツをユーザインタフェース上に提示しつつ、広告、販売促進等のようなニュースクライアントに付随する更なる情報は、予め設定された第１のエリア内に提示されてもよい。
【００１５】
本開示の例によれば、図２に示すように、第１の更なる情報がユーザインタフェース200上の予め設定された第１のエリア201内に提示されるときに、第１の移動操作を実行するようにユーザに促すために、第１の移動操作のプロンプトアイコン203が更に提示される。
【００１６】
本開示の例によれば、予め設定された第１のエリアの数は、１以上でもよい。予め設定された第１のエリアは、ユーザインタフェースの左上の角、右上の角、左下の角、右下の角等内に位置してもよく、これは本開示では限定されない。
【００１７】
ブロック102において、ユーザにより実行された第１の操作アクションに応じて、第１の操作アクションに対応する第２のエリアが決定されてもよい。
【００１８】
ブロック103において、第２のエリアのサイズに従って、第１の更なる情報に対応する第２の更なる情報の全部又は一部が提示されてもよい。
【００１９】
本開示の例によれば、第１の更なる情報は、第２の更なる情報の要約情報でもよく、或いは第２の更なる情報の一部でもよい。
【００２０】
本開示の例によれば、ユーザにより実行された第１の操作アクションは、ユーザインタフェース内で第１のエリア内の第１の位置から第２の位置に移動するタッチスクリーン上の移動操作でもよい。例えば、ユーザが第１のエリア内の第１の位置からタッチスクリーン上で移動するときに、端末デバイスは、タッチスクリーン上のユーザの指の移動による第１の移動操作を周期的に検出し、現在の第２の位置に従って第２の更なる情報の全部又は一部を次第に提示してもよい。同時に、更なる情報を提示するために使用される第１のエリアは継続的に増加ており、主情報を提示するために使用される第３のエリアは継続的に減少しているため、主情報を提示するために使用される第３のエリアが継続的に引き離されるように見える。したがって、第１の移動操作は、「ページティアリング操作（page  tearing  operation）」とも呼ばれる。
【００２１】
本開示の例によれば、ユーザインタフェース内で第１のエリア内の第１の位置から第２の位置に移動するタッチスクリーン上のユーザの第１の移動操作が検出されたときに、第２のエリアの少なくとも１つの可変エッジの位置は、第２の位置に従って決定されてもよい。第２のエリアは、少なくとも１つの可変エッジの決定された位置と、第２のエリアの他の固定エッジの予め設定された位置とに従って決定されてもよい。
【００２２】
具体的には、第２の位置が予め設定された第４のエリア内に位置する場合、第４のエリア内の予め設定されたエッジは、第２のエリアの可変エッジとして決定されてもよく、第４のエリアは、主情報を提示するために使用され且つユーザインタフェース内に予め設定された最小のエリアである。
【００２３】
図３Ａに示すように、ユーザインタフェース300において、端末デバイスが、ユーザがタッチスクリーンの右上の角の第１のエリア301内の第１の位置303から、タッチスクリーンの左下の角の第４のエリア302内の第２の位置304に移動したことを検出したときに、第４のエリア302内の予め設定されたエッジ310は、第２のエリア305の可変エッジとして決定される。可変エッジ310及び他の予め設定された固定エッジ311-314は、第２のエリア305（図３に示す斜線エリア）を構成する。
【００２４】
第２の位置が予め設定された第４のエリア内に位置しない場合、第１のエリア内で予め設定されたエッジに平行であり且つ第２の位置を通過する線が第２のエリアの可変エッジとして決定されてもよい。
【００２５】
図３Ｂに示すように、ユーザインタフェース300において、端末デバイスが、ユーザがタッチスクリーンの右上の角の第１のエリア301内の第１の位置303から、第２の位置304（第２の位置は第４のエリア302内にない）に移動したことを検出したときに、第１のエリア301内で予め設定されたエッジ315に平行であり且つ第２の位置304を通過する線が第２のエリア305の可変エッジ310として決定される。可変エッジ310及び他の予め設定された固定エッジ311-313は、第２のエリア305（図３Ｂに示す斜線エリア）を構成する。
【００２６】
本開示の例によれば、ユーザにより実行された第１の操作アクションは、操作ジェスチャでもよい。例えば、端末デバイスを保持するユーザにより実行された様々なアクション（振り、揺れ、回転等）、及びハイファイブ（high-five）、テーブルをたたくこと、足を踏みつけること、頭を振ること、うなずくこと等のようなユーザのアクションである。端末デバイスを保持するユーザにより実行された様々なアクションは、端末デバイス上のセンサ（例えば、重力加速度センサ、ジャイロスコープ等）により検出されてもよい。これらのセンサは、端末デバイスの姿勢の変化を検知してもよく、したがって、これらのアクションを検出してもよい。代替として、ハイファイブ、テーブルをたたくこと、足を踏みつけること、頭を振ること、うなずくこと等のようなユーザの様々な自由なアクションは、端末デバイスに結合されたスマートデバイスにより検出されてもよい。端末デバイスは、ユーザの操作ジェスチャを周期的に検出し、検出された操作ジェスチャに従って第２の更なる情報の全部又は一部をユーザインタフェース上に次第に提示し、前述のような「ページティアリング」効果を提示してもよい。この場合、端末デバイスに結合されたスマートデバイスは、ウェアラブルデバイスでもよい。ウェアラブルデバイスは、アプリケーション時計、リストバンド、眼鏡、足首リング等のような、身体に直接装着されるか、或いはユーザの衣服又はアクセサリに統合されたポータブルデバイスでもよい。ウェアラブルデバイスは、計算機能を有し、端末デバイスとのデータ相互作用を実現するように、端末デバイスに接続されてもよい。
【００２７】
本開示の例によれば、ユーザにより実行された第１の操作アクションは、振り操作でもよい。端末デバイス上の重力センサがユーザの振り操作を検出したときに、第２のエリアのサイズは、ユーザの検出された振り動作の重力に従って決定されてもよい。
【００２８】
本開示の例によれば、ブロック102における操作が実行された後に、図１Ｂに示すように、方法は以下の操作を更に含んでもよい。
【００２９】
ブロック111において、主情報を提示するためのユーザインタフェース上の第３のエリアのサイズは、決定された第２のエリアに従って調整されてもよい。
【００３０】
図４Ｂに示すように、ユーザインタフェース400上で、第２のエリア402は、第２の更なる情報を提示するために使用される。第２のエリアに従って、アプリケーションの主情報を提示するための第３のエリア403が決定されてもよい。
【００３１】
ブロック112において、第３のエリア内に提示される主情報のコンテンツは、現在の第３のエリアのサイズに従って調整されてもよい。
【００３２】
本開示の例によれば、端末デバイスは、現在の第３のエリアによりカバーされる、主情報の提示ページ内のそれぞれのコンテンツの部分を決定し、現在の第３のエリアによりカバーされる決定された部分を第３のエリア内に提示してもよい。
【００３３】
この場合、主情報の提示ページは、アプリケーションがアプリケーションの主情報を提示する基本単位を示す。アプリケーションが主情報を提示する（例えば、ニュースクライアントがニュースコンテンツを提示する）ときに、主情報のデータは、提示ページを一単位として取ることにより抽出されてもよく、主情報の抽出されたデータは、印字（typesetting）等のように、提示ページ内で処理されてもよい。１つ以上のコンテンツ（例えば、１つ以上のニュースの要約若しくはタイトルコンテンツ、又は１つ以上のニュースコンテンツ）が、１つの提示ページに含まれてもよい。提示するときに、アプリケーションは、提示ページをユーザインタフェース上の提示エリアとマッチングさせ、提示ページ内で、提示エリア内に提示され得る主情報のコンテンツ（提示ページ内の１つ以上のコンテンツのうちコンテンツの全部又は一部を含む）を決定してもよい。
【００３４】
図４Ａに示すように、主情報の提示ページ401は、主情報コンテンツ410-417を含む。主情報がユーザインタフェース400上の全体のエリアに提示されるときに、提示ページ401は、ユーザインタフェース400とマッチングされ、ユーザインタフェース400によりカバーされる、提示ページ上のコンテンツ413-415が、ユーザインタフェース400上に提示されてもよい。具体的には、アプリケーションがアクティベーションされたときに、提示ページ上の予め設定されたエリアは、ユーザインタフェースと重ねられ、主情報の提示エリアによりカバーされる、主情報の提示ページ内のそれぞれのコンテンツの部分は、ユーザインタフェース上の主情報の提示エリア内に提示されてもよい。その後、ユーザの操作（例えば、上移動、下移動等）に応じて、提示ページ上のエリアがユーザインタフェースと重ねられることが決定され、ユーザインタフェース上の主情報の提示エリアによりカバーされる、主情報の提示ページ内のそれぞれのコンテンツの部分が、ユーザインタフェース上の主情報の提示エリア内に提示されてもよい。
【００３５】
図４Ｂに示すように、ユーザインタフェース400上で、第２のエリア402は、第２の更なる情報を提示するために使用され、第３のエリア403はアプリケーションの主情報を提示するために使用される。主情報の提示ページにおいて、３つのコンテンツ401-412は、現在の第３のエリアによりカバーされる。したがって、図４Ｃに示すように、現在の第３のエリア（図４Ｃに示す斜線の区分）によりカバーされる、主情報の提示ページ401内の３つのコンテンツ410-412の部分が、ユーザインタフェース410の第３のエリア403に提示される。
【００３６】
本開示の他の例によれば、端末デバイスは、現在の第３のエリアによりカバーされる、主情報の提示ページ内のそれぞれのコンテンツの部分を決定してもよい。現在の第３のエリアによりカバーされるそれぞれのコンテンツの決定された部分について、端末デバイスは、コンテンツの全体のコンテンツに対する現在の第３のエリアに含まれるコンテンツの部分の割合が予め設定された割合閾値より大きいか否かを決定してもよい。端末デバイスが、コンテンツの全体のコンテンツに対する現在の第３のエリアに含まれるコンテンツの部分の割合が予め設定された割合閾値より大きいと決定した場合、端末デバイスは、現在の第３のエリア内にコンテンツを提示してもよい。そうでない場合、端末デバイスは、現在の第３のエリアからコンテンツを削除してもよい。例えば、予め設定された割合閾値が100%である場合、コンテンツの全体のコンテンツが現在の第３のエリアによりカバーされる部分内にあるときに、コンテンツは、現在の第３のエリア内に提示されてもよい。
【００３７】
図４Ｂに示すように、ユーザインタフェース400上で、第２のエリア402は、第２の更なる情報を提示するために使用され、第３のエリア403はアプリケーションの主情報を提示するために使用される。主情報の提示ページ内の３つのコンテンツ410-412は、現在の第３のエリアによりカバーされる。この場合、コンテンツ410の全体のコンテンツに対する現在の第３のエリアに含まれるコンテンツ410の部分の割合は20%であり、コンテンツ411の全体のコンテンツに対する現在の第３のエリアに含まれるコンテンツ411の部分の割合は45%であり、コンテンツ412の全体のコンテンツに対する現在の第３のエリアに含まれるコンテンツ412の部分の割合は75%である。図４Ｄに示すように、予め設定された割合閾値が40%である場合、現在の第３のエリアによりカバーされる、主情報の提示ページ401内の２つのコンテンツ411及び412の部分（図４Ｄに示す斜線の区分）は、ユーザインタフェース401の第３のエリア403内に提示され、コンテンツ410は、現在の第３のエリアから削除される。
【００３８】
本開示の例によれば、ブロック103における操作が実行された後に、図１Ｃに示すように、方法は以下の操作を更に含んでもよい。
【００３９】
ブロック121において、ユーザにより実行された第２の操作アクションに応じて、第２の更なる情報の提示が終了してもよい。
【００４０】
本開示の例によれば、ユーザにより実行された第２の移動操作は、主情報を提示するための第３のエリア内のいずれかの位置から、更なる情報を提示するための第２のエリア内のいずれかの位置に移動するタッチスクリーン上の操作でもよい。第１の移動操作（すなわち、「ページティアリング操作」）に比べて、第２の移動操作は、主情報の引き離された提示エリアを復元することと等価である。したがって、第２の移動操作は、「復元操作（restoring  operation）」とも呼ばれる。
【００４１】
本開示の他の例によれば、ユーザにより実行された第２の操作アクションは、端末デバイスを振ること、ハイファイブ、テーブルをたたくこと、足を踏みつけること、頭を振ること、うなずくこと等のような操作ジェスチャでもよい。操作ジェスチャは、端末デバイス上のセンサ又は端末デバイスに結合されたスマートデバイスにより検出されてもよく、前述の「復元」効果が提示されてもよい。
【００４２】
ブロック122において、第２のエリア及び第３のエリアの併合エリアは、現在の第３のエリアとして決定されてもよい。現在の第３のエリアによりカバーされる、主情報の提示ページ内のそれぞれのコンテンツの部分は、現在の第３のエリアのサイズに従って決定されてもよい。現在の第３のエリアによりカバーされる決定された部分は、現在の第３のエリア内に提示されてもよい。
【００４３】
本開示の例によれば、ユーザの第１の移動操作が検出された後に、ユーザインタフェース500内に更なる情報を提示するための第２のエリア502及びユーザインタフェース500内に主情報を提示するための第３のエリア503が、図５Ａに示されている。ユーザの第２の移動操作が検出された後に、図５Ａに示す第２のエリア502及び第３のエリア503の併合エリア504（図５Ｂに示す）は、現在の第３のエリアとして決定される。
【００４４】
本開示の例によれば、図５Ｂに示すように、現在の第３のエリア504によりカバーされる、主情報の提示ページ501内の３つのコンテンツ510-512の部分は、３つのコンテンツ510-512の全体のコンテンツを含む。３つのコンテンツ510-512の全体のコンテンツは、現在の第３のエリア内に提示される。
【００４５】
本開示の例によれば、図３Ａに示すように、第１の更なる情報に対応する第２の更なる情報が提示されるときに、第２の移動操作を実行するようにユーザを促すために、第２の移動操作のプロンプトアイコン306がユーザインタフェース上に提示されてもよい。
【００４６】
本開示の例によれば、第１の更なる情報に対応する第２の更なる情報の全部又は一部を提示した後に、アプリケーションに現在ログインしているアカウントが仮想商品パッケージを取得したと決定された場合、端末デバイスは、第１の更なる情報に対応する共有情報をソーシャルネットワーキングプラットフォームに対して共有し、サーバから仮想商品パッケージを取得してもよい。対応して、サーバが、アプリケーションに現在ログインしているアカウントが仮想商品パッケージを取得し、アカウントが共有情報をソーシャルネットワーキングプラットフォームに対して共有していると決定した場合、サーバは、仮想商品パッケージを端末デバイスに送信してもよい。例えば、ユーザが「ページティアリング操作」を実行した後に、サーバは、予め設定された確率に従って、アプリケーションに現在ログインしているアカウントに「紅包（red  envelope）」をランダムに発行してもよい。アカウントが紅包を取得し、アプリケーションの主情報に付随する広告情報を、アカウントに対応するWeChatのMomentsに対して共有したと決定された場合、アカウントは、サーバから「紅包」を取得してもよい。
【００４７】
本開示の例によれば、第２の更なる情報の全体のコンテンツに対する端末デバイスのユーザインタフェース上に提示される第２の更なる情報の割合が予め設定された提示割合閾値より大きいと決定された場合、サーバは、ランダムに仮想商品パッケージをアカウントに割り当てるか否かを決定してもよい。
【００４８】
本開示の様々な例により提案される情報提示方法について前述した。以下に、本開示の様々な例により提案されるデバイスについて添付図面を参照して説明する。
【００４９】
図６は、本開示の例による端末デバイスの構成を示す図である。図６に示すように、端末デバイスがアプリケーションについての主情報をユーザインタフェース上に提示するときに、端末デバイスは以下のモジュールを含む。
【００５０】
提示モジュール601は、ユーザインタフェース上の予め設定された第１のエリア内に第１の更なる情報を提示するように構成される。
【００５１】
決定モジュール602は、ユーザにより実行された第１の操作アクションに応じて、第１の操作アクションに対応する第２のエリアを決定するように構成される。
【００５２】
提示モジュール601は、第２のエリアのサイズに従って、第１の更なる情報に対応する第２の更なる情報の全部又は一部を提示するように更に構成される。
【００５３】
本開示の例によれば、第１の操作アクションは、ユーザインタフェース内で第１のエリア内の第１の位置から第２の位置に移動するタッチスクリーン上の第１の移動操作である。
【００５４】
提示モジュール601は、第２の位置に従って、第２のエリアの少なくとも１つの可変エッジの位置を決定し、少なくとも１つの可変エッジの決定された位置と、第２のエリアの他の固定エッジの予め設定された位置とに従って、第２のエリアを決定するように更に構成される。
【００５５】
本開示の例によれば、第２の位置が予め設定された第３のエリア内に位置する場合、提示モジュール601は、第３のエリア内の予め設定されたエッジを、第２のエリアの可変エッジとして決定してもよく、第３のエリアは、主情報を提示するために使用され且つユーザインタフェース内に予め設定された最小のエリアである。そうでない場合、第１のエリア内で予め設定されたエッジに平行であり且つ第２の位置を通過する線を、第２のエリアの可変エッジとして決定してもよい。
【００５６】
本開示の例によれば、端末デバイスは、調整モジュール603を更に含んでもよい。移動アクションに対応する第２のエリアを決定した後に、調整モジュール603は、決定された第２のエリアに従って、ユーザインタフェース上の第３のエリアのサイズを調整してもよく、第３のエリアは、主情報を提示するために使用され、現在の第３のエリアのサイズに従って、第３のエリア内に提示される主情報のコンテンツを調整してもよい。
【００５７】
本開示の例によれば、調整モジュール603は、現在の第３のエリアによりカバーされる、主情報の提示ページ内のそれぞれのコンテンツの部分を決定し、現在の第３のエリアによりカバーされる決定された部分を第３のエリア内に提示してもよい。
【００５８】
本開示の例によれば、調整モジュール603は、現在の第３のエリアによりカバーされる、主情報の提示ページ内のそれぞれのコンテンツの部分を決定してもよく、現在の第３のエリアによりカバーされるそれぞれのコンテンツの決定された部分について、調整モジュール603は、コンテンツの全体のコンテンツに対する現在の第３のエリアに含まれるコンテンツの部分の割合が予め設定された割合閾値より大きいか否かを決定してもよく、コンテンツの全体のコンテンツに対する現在の第３のエリアに含まれるコンテンツの部分の割合が予め設定された割合閾値より大きい場合、調整モジュール603は、現在の第３のエリア内にコンテンツを提示してもよく、そうでない場合、調整モジュール603は、現在の第３のエリアからコンテンツを削除してもよい。
【００５９】
本開示の例によれば、提示モジュール601は、ユーザにより実行された第２の操作アクションに応じて、第２の更なる情報の提示を終了してもよい。
【００６０】
本開示の例によれば、提示モジュール601は、ユーザにより実行された第２の操作アクションに応じて、第２の更なる情報の提示を終了し、第２のエリア及び第３のエリアの併合エリアを、現在の第３のエリアとして決定し、現在の第３のエリアのサイズに従って、現在の第３のエリアによりカバーされる、主情報の提示ページ内のそれぞれのコンテンツの部分を決定し、現在の第３のエリアによりカバーされる決定された部分を現在の第３のエリア内に提示してもよい。
【００６１】
本開示の例によれば、端末デバイスは、取得モジュール604を更に含んでもよい。アプリケーションに現在ログインしているアカウントが仮想商品パッケージを取得したと決定された場合、取得モジュール604は、第１の更なる情報に対応する共有情報をソーシャルネットワーキングプラットフォームに対して共有し、サーバから仮想商品パッケージを取得してもよい。
【００６２】
前述のモジュール601-604は、端末デバイス600内のストレージ610に記憶された命令モジュールでもよい。これらの命令モジュールは、プロセッサ実行可能コンピュータ読み取り可能命令を含む。この場合、ストレージ610は、非一時的なコンピュータ読み取り可能記憶媒体でもよい。端末デバイス600内のプロセッサ611がモジュール601-604内の命令を実行したときに、前述のモジュール601-604の様々な機能が実現されてもよい。
【００６３】
さらに、本開示の様々な例における機能モジュールは、１つの処理ユニットに統合されてもよく、或いは物理的に単独で存在してもよく、或いは２つ以上のモジュールが１つのユニットに統合されてもよい。前述の統合されたユニットは、ハードウェア又はソフトウェア機能ユニットで実現されてもよい。様々な例の機能モジュールは、１つの端末又はネットワークノード内に位置してもよく、或いは複数の端末又はネットワークノードに分散してもよい。
【００６４】
さらに、本開示の例のそれぞれは、コンピュータのようなデータ処理デバイスにより実行されるデータ処理プログラムにより実現されてもよい。明らかに、データ処理プログラムは、本開示を構成する。さらに、記憶媒体に記憶されたデータ処理プログラムは、通常では、記憶媒体からプログラムを直接読み取ることにより、或いはプログラムをデータ処理デバイスの記憶デバイス（ハードディスク及び／又はメモリ等）にインストール又は複製することにより実行される。したがって、記憶媒体もまた、本開示を構成する。記憶媒体は、紙記憶媒体（例えば、紙テープ等）、磁気記憶媒体（例えば、フロッピーディスク、ハードディスク、フラッシュメモリ等）、光記憶媒体（例えば、CD-ROM等）、光磁気記憶媒体（例えば、MO等）等のようないずれかの種類の記録方法を使用してもよい。
【００６５】
したがって、本開示の様々な例はまた、データ処理プログラムを記憶する記憶媒体も提供し、データ処理プログラムは、本開示により提供される前述の方法の例のいずれか１つを実行するために使用される。
【００６６】
当業者は、前述の例の手順の全部又は一部がハードウェア又は関係するハードウェアに命令するコンピュータ読み取り可能命令により実現されてもよいことを理解し得る。コンピュータ読み取り可能命令は、コンピュータ読み取り可能記憶媒体に記憶されてもよい。記憶媒体は、ROM（読み取り専用メモリ）、ディスケット、CD等でもよい。
【００６７】
前述のものは、本開示のいくつかの例であり、本開示の保護範囲を限定することを意図するものではない。本開示の原理の下で行われる如何なる変更、均等物、改善等も、本開示の保護範囲内に含まれるべきである。
【図１Ａ】
2019501463.tif 000003
【図１Ｂ】
2019501463.tif 000004
【図１Ｃ】
2019501463.tif 000005
【図２】
2019501463.tif 000006
【図３Ａ】
2019501463.tif 000007
【図３Ｂ】
2019501463.tif 000008
【図４Ａ】
2019501463.tif 000009
【図４Ｂ】
2019501463.tif 000010
【図４Ｃ】
2019501463.tif 000011
【図４Ｄ】
2019501463.tif 000012
【図５Ａ】
2019501463.tif 000013
【図５Ｂ】
2019501463.tif 000014
【図６】
2019501463.tif 000015
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
端末デバイスに適用される情報提示方法であり、前記端末デバイスがアプリケーションについての主情報をユーザインタフェース上に提示するときに、前記方法は、
前記ユーザインタフェース上の予め設定された第１のエリア内に第１の更なる情報を提示するステップと、
ユーザにより実行された第１の操作アクションに応じて、前記第１の操作アクションに対応する第２のエリアを決定するステップと、
前記第２のエリアのサイズに従って、前記第１の更なる情報に対応する第２の更なる情報の全部又は一部を提示するステップと
を含む方法。
【請求項２】
前記第１の操作アクションは、前記ユーザインタフェース内で前記第１のエリア内の第１の位置から第２の位置に移動するタッチスクリーン上の第１の移動操作であり、
前記第１の操作アクションに対応する前記第２のエリアを決定するステップは、
前記第２の位置に従って、前記第２のエリアの少なくとも１つの可変エッジの位置を決定するステップと、
前記少なくとも１つの可変エッジの前記決定された位置と、前記第２のエリアの他の固定エッジの予め設定された位置とに従って、前記第２のエリアを決定するステップと
を含む、請求項１に記載の方法。
【請求項３】
前記第２のエリアの前記少なくとも１つの可変エッジの前記位置を決定するステップは、
前記第２の位置が予め設定された第３のエリア内に位置する場合、前記第３のエリア内の予め設定されたエッジを、前記第２のエリアの前記可変エッジとして決定するステップであり、前記第３のエリアは、前記主情報を提示するために使用され且つ前記ユーザインタフェース内に予め設定された最小のエリアであるステップと、
そうでない場合、前記第１のエリア内で予め設定されたエッジに平行であり且つ前記第２の位置を通過する線を、前記第２のエリアの前記可変エッジとして決定するステップと
を含む、請求項２に記載の方法。
【請求項４】
前記第１の操作アクションを実行するように前記ユーザに促すために、前記第１の操作アクションのプロンプトアイコンを前記ユーザインタフェース上に提示するステップを更に含む、請求項１に記載の方法。
【請求項５】
前記第１の操作アクションに対応する前記第２のエリアを決定した後に、前記方法は、
前記決定された第２のエリアに従って、前記ユーザインタフェース上の第３のエリアのサイズを調整するステップであり、前記第３のエリアは、前記主情報を提示するために使用されるステップと、
現在の第３のエリアのサイズに従って、前記第３のエリア内に提示される前記主情報のコンテンツを調整するステップと
を更に含む、請求項１に記載の方法。
【請求項６】
前記現在の第３のエリアのサイズに従って、前記第３のエリア内に提示される前記主情報の前記コンテンツを調整するステップは、
前記現在の第３のエリアによりカバーされる、前記主情報の提示ページ内のそれぞれのコンテンツの部分を決定するステップと、
前記現在の第３のエリアによりカバーされる前記決定された部分を前記第３のエリア内に提示するステップと
を含む、請求項５に記載の方法。
【請求項７】
前記現在の第３のエリアのサイズに従って、前記第３のエリア内に提示される前記主情報の前記コンテンツを調整するステップは、
前記現在の第３のエリアによりカバーされる、前記主情報の提示ページ内のそれぞれのコンテンツの部分を決定するステップと、
前記現在の第３のエリアによりカバーされるそれぞれのコンテンツの前記決定された部分について、前記コンテンツの全体のコンテンツに対する前記現在の第３のエリアに含まれる前記コンテンツの部分の割合が予め設定された割合閾値より大きいか否かを決定するステップと、
前記コンテンツの全体のコンテンツに対する前記現在の第３のエリアに含まれる前記コンテンツの部分の前記割合が前記予め設定された割合閾値より大きい場合、前記現在の第３のエリア内に前記コンテンツを提示し、そうでない場合、前記現在の第３のエリアから前記コンテンツを削除するステップと
を含む、請求項５に記載の方法。
【請求項８】
前記第１の更なる情報に対応する前記第２の更なる情報の全部又は一部を提示した後に、前記方法は、
前記ユーザにより実行された第２の操作アクションに応じて、前記第２の更なる情報の提示を終了するステップを更に含む、請求項１に記載の方法。
【請求項９】
前記第１の更なる情報に対応する前記第２の更なる情報の全部又は一部を提示した後に、前記方法は、
前記ユーザにより実行された第２の操作アクションに応じて、前記第２の更なる情報の提示を終了するステップと、
前記第２のエリア及び前記第３のエリアの併合エリアを、前記現在の第３のエリアとして決定し、前記現在の第３のエリアのサイズに従って、前記現在の第３のエリアによりカバーされる、前記主情報の提示ページ内のそれぞれのコンテンツの部分を決定し、前記現在の第３のエリアによりカバーされる前記決定された部分を前記現在の第３のエリア内に提示するステップと
を更に含む、請求項５に記載の方法。
【請求項１０】
前記第２の操作アクションを実行するように前記ユーザに促すために、前記第２の操作アクションのプロンプトアイコンを前記ユーザインタフェース上に提示するステップを更に含む、請求項８又は９に記載の方法。
【請求項１１】
前記第１の更なる情報に対応する前記第２の更なる情報の全部又は一部を提示した後に、前記方法は、
前記アプリケーションに現在ログインしているアカウントが仮想商品パッケージを取得したと決定された場合、前記第１の更なる情報に対応する共有情報をソーシャルネットワーキングプラットフォームに対して共有するステップと、
サーバから前記仮想商品パッケージを取得するステップと
を更に含む、請求項１に記載の方法。
【請求項１２】
端末デバイスがアプリケーションについての主情報をユーザインタフェース上に提示するときに、
コンピュータ読み取り可能命令を記憶するストレージと、
前記コンピュータ読み取り可能命令を実行し、
前記ユーザインタフェース上の予め設定された第１のエリア内に第１の更なる情報を提示するステップと、
ユーザにより実行された第１の操作アクションに応じて、前記第１の操作アクションに対応する第２のエリアを決定するステップと、
前記第２のエリアのサイズに従って、前記第１の更なる情報に対応する第２の更なる情報の全部又は一部を提示するステップと
を含む動作を実行するプロセッサと
を含む端末デバイス。
【請求項１３】
前記第１の操作アクションは、前記ユーザインタフェース内で前記第１のエリア内の第１の位置から第２の位置に移動するタッチスクリーン上の第１の移動操作であり、
前記プロセッサは、さらに、前記コンピュータ読み取り可能命令を実行し、
前記第２の位置に従って、前記第２のエリアの少なくとも１つの可変エッジの位置を決定するステップと、
前記少なくとも１つの可変エッジの前記決定された位置と、前記第２のエリアの他の固定エッジの予め設定された位置とに従って、前記第２のエリアを決定するステップと
を含む動作を実行する、請求項１２に記載の端末デバイス。
【請求項１４】
前記プロセッサは、さらに、前記コンピュータ読み取り可能命令を実行し、
前記第２の位置が予め設定された第３のエリア内に位置する場合、前記第３のエリア内の予め設定されたエッジを、前記第２のエリアの前記可変エッジとして決定するステップであり、前記第３のエリアは、前記主情報を提示するために使用され且つ前記ユーザインタフェース内に予め設定された最小のエリアであるステップと、
そうでない場合、前記第１のエリア内で予め設定されたエッジに平行であり且つ前記第２の位置を通過する線を、前記第２のエリアの前記可変エッジとして決定するステップと
を含む動作を実行する、請求項１３に記載の端末デバイス。
【請求項１５】
前記プロセッサは、さらに、前記コンピュータ読み取り可能命令を実行し、
前記第１の操作アクションに対応する前記第２のエリアを決定した後に、前記決定された第２のエリアに従って、前記ユーザインタフェース上の第３のエリアのサイズを調整するステップであり、前記第３のエリアは、前記主情報を提示するために使用されるステップと、
現在の第３のエリアのサイズに従って、前記第３のエリア内に提示される前記主情報のコンテンツを調整するステップと
を更に含む動作を実行する、請求項１２に記載の端末デバイス。
【請求項１６】
前記プロセッサは、さらに、前記コンピュータ読み取り可能命令を実行し、
前記現在の第３のエリアによりカバーされる、前記主情報の提示ページ内のそれぞれのコンテンツの部分を決定するステップと、
前記現在の第３のエリアによりカバーされる前記決定された部分を前記第３のエリア内に提示するステップと
を含む動作を実行する、請求項１５に記載の端末デバイス。
【請求項１７】
前記プロセッサは、さらに、前記コンピュータ読み取り可能命令を実行し、
前記現在の第３のエリアによりカバーされる、前記主情報の提示ページ内のそれぞれのコンテンツの部分を決定するステップと、
前記現在の第３のエリアによりカバーされるそれぞれのコンテンツの前記決定された部分について、前記コンテンツの全体のコンテンツに対する前記現在の第３のエリアに含まれる前記コンテンツの部分の割合が予め設定された割合閾値より大きいか否かを決定するステップと、
前記コンテンツの全体のコンテンツに対する前記現在の第３のエリアに含まれる前記コンテンツの部分の前記割合が前記予め設定された割合閾値より大きい場合、前記現在の第３のエリア内に前記コンテンツを提示し、そうでない場合、前記現在の第３のエリアから前記コンテンツを削除するステップと
を含む動作を実行する、請求項１５に記載の端末デバイス。
【請求項１８】
前記プロセッサは、さらに、前記コンピュータ読み取り可能命令を実行し、
前記ユーザにより実行された第２の操作アクションに応じて、前記第２の更なる情報の提示を終了するステップを含む動作を実行する、請求項１２に記載の端末デバイス。
【請求項１９】
前記プロセッサは、さらに、前記コンピュータ読み取り可能命令を実行し、
前記ユーザにより実行された第２の操作アクションに応じて、前記第２の更なる情報の提示を終了するステップと、
前記第２のエリア及び前記第３のエリアの併合エリアを、前記現在の第３のエリアとして決定し、前記現在の第３のエリアのサイズに従って、前記現在の第３のエリアによりカバーされる、前記主情報の提示ページ内のそれぞれのコンテンツの部分を決定し、前記現在の第３のエリアによりカバーされる前記決定された部分を前記現在の第３のエリア内に提示するステップと
を更に含む動作を実行する、請求項１５に記載の端末デバイス。
【請求項２０】
コンピュータ読み取り可能命令を記憶した非一時的なコンピュータ読み取り可能記憶媒体であって、
コンピュータは、前記コンピュータ読み取り可能命令を実行し、
ユーザインタフェース上の予め設定された第１のエリア内に第１の更なる情報を提示するステップと、
ユーザにより実行された第１の操作アクションに応じて、前記第１の操作アクションに対応する第２のエリアを決定するステップと、
前記第２のエリアのサイズに従って、前記第１の更なる情報に対応する第２の更なる情報の全部又は一部を提示するステップと
を含む動作を実行する非一時的なコンピュータ読み取り可能媒体。
【手続補正２】
【補正対象書類名】明細書
【補正対象項目名】００１２
【補正方法】変更
【補正の内容】
【００１２】
図１Ａは、本開示の例による情報提示方法を示すフローチャートである。方法は、端末デバイスに適用される。図１Ａに示すように、端末デバイスがアプリケーションについての主情報をユーザインタフェース上に提示するときに、方法は以下の操作を含む。
【手続補正３】
【補正対象書類名】明細書
【補正対象項目名】００２３
【補正方法】変更
【補正の内容】
【００２３】
図３Ａに示すように、ユーザインタフェース300において、端末デバイスが、ユーザがタッチスクリーンの右上の角の第１のエリア301内の第１の位置303から、タッチスクリーンの左下の角の第４のエリア302内の第２の位置304に移動したことを検出したときに、第４のエリア302内の予め設定されたエッジ310は、第２のエリア305の可変エッジとして決定される。可変エッジ310及び他の予め設定された固定エッジ311-314は、第２のエリア305（図３Ａに示す斜線エリア）を構成する。
【国際調査報告】
2019501463.tif 000016
2019501463.tif 000017
2019501463.tif 000018
2019501463.tif 000019